(57)【要約】      （修正有）【課題】製紙設備内でワイヤフォイルを支持ストリップに解放可能に固定する装置の提供。【解決手段】フォイルは、ワイヤの運動方向において相互に間隔をおいて配置され、ワイヤと接触状態にあり、ワイヤフォイル用の支持ストリップ１はワイヤフォイル２に割り当てられ、ワイヤの運動方向に対して横断方向に同様に延びる。ワイヤフォイル又は割り当てられた支持ストリップは長手方向にアンダーカット溝２１を有するよう構成され、支持ストリップ又はワイヤフォイルはアンダーカット溝の断面に対応するバネを有するよう構成される。支持ストリップ及びワイヤフォイルの長手方向に延びるクランピングストリップ３が支持ストリップとワイヤフォイルとの間に設けられ、クランピングストリップの長手方向の変位によりワイヤフォイルが支持ストリップに対して横断方向に運動する結果、ワイヤフォイルは動作位置において支持ストリップに対し堅固に接続される。【選択図】図１
2010144319.tif 000002
【特許請求の範囲】
【請求項１】
ワイヤと、前記ワイヤの運動方向に対して横断方向に延びる支持ストリップ上において支持されるとともに前記ワイヤの運動方向において相互に間隔をおいて配置されたワイヤフォイルと、を備える製紙設備において、ワイヤフォイルを支持ストリップに解放可能に固定する装置であって、
前記ワイヤフォイル用の前記支持ストリップ又は前記ワイヤフォイルは長手方向に形成されたアンダーカット溝を備え、前記支持ストリップ又はワイヤフォイルは前記アンダーカット溝の断面に対応する断面を有するバネを備えるように構成され、
前記ワイヤフォイル及び前記支持ストリップは、前記ワイヤフォイルを前記ワイヤの前記運動方向に対して横断方向に前記支持ストリップ上に遊びを伴って押し出せるように構成され、
前記支持ストリップ及び前記ワイヤフォイルの長手方向に延びるとともに前記支持ストリップと前記ワイヤフォイルとの間に配設されたクランピングストリップを備え、
前記クランピングストリップの長手方向の変位によって、前記ワイヤフォイルが前記支持ストリップに対して横断方向に運動する結果、前記ワイヤフォイルを動作位置において前記支持ストリップに対して堅固にロックする装置。
【請求項２】
前記支持ストリップ及び前記ワイヤフォイルは、楔の形状で延びるとともに前記ワイヤフォイルが前記支持ストリップに対して横断方向に運動する結果として互いに接触状態となる互いに割り当てられた面を側部に有するように構成され、前記横断方向の運動は、前記クランピングストリップの前記変位によって引き起こされ、前記ワイヤフォイルは前記支持ストリップによってクランプされる請求項１記載の装置。
【請求項３】
前記クランピングストリップは長手方向に延びるスロットを有するように形成され、前記支持ストリップは前記クランピングストリップを貫通するピンを有し、前記クランピングストリップの前記変位によって、前記ワイヤフォイルが前記支持ストリップに対して横断方向に運動する請求項１記載の装置。
【請求項４】
前記クランピングストリップに形成された前記スロットと前記ワイヤフォイルの長手方向に延びた部分は、約３°〜約１０°の鋭角を形成する請求項３記載の装置。
【請求項５】
前記クランピングストリップの前記スロットと前記ワイヤフォイルは、約６°の鋭角を形成する請求項４記載の装置。
【請求項６】
前記クランピングストリップは、前記ワイヤフォイルと前記支持ストリップとが互いにクランプされる端部位置において、前記支持ストリップによってラッチされる請求項１記載の装置。
【請求項７】
前記クランピングストリップは、前記ワイヤフォイルと前記支持ストリップが互いにクランプされる前記端部位置とは反対の端部位置において、前記支持ストリップによってラッチされる請求項６記載の装置。
【請求項８】
前記クランピングストリップは、前記ワイヤフォイルを前記支持ストリップによってクランプする方向において、前記クランピングストリップの変位によって圧縮される横方向に突出するバネ要素を有するように構成され、これにより前記ワイヤフォイルは前記長手方向に延びる部分に対して横断方向に、前記支持ストリップによるクランプ位置へと変位のために付勢される請求項１記載の装置。
【請求項９】
前記クランピングストリップは、互いに結合される複数のクランピングストリップ部品から形成される請求項１記載の装置。
【発明の詳細な説明】
【技術分野】
【０００１】
本発明は、製紙設備において、支持ストリップに対してワイヤフォイルを解放可能に固定する装置に関する。この設備は、ワイヤと、ワイヤの運動方向に対して横断方向に更に延びてワイヤの運動方向において互いに間隔をおいて配置されるとともにワイヤが接触状態にあるワイヤフォイルと、ワイヤフォイルに割り当てられるとともにワイヤの運動方向に対して横断方向に同様に延びるワイヤフォイル用の支持ストリップと、を備える。ワイヤフォイル又はこれに割り当てられた支持ストリップは長手方向にアンダーカット溝を有するように構成され、支持ストリップ又はワイヤフォイルはアンダーカット溝の断面に対応するバネを有するように構成される。ワイヤフォイルは、ワイヤの運動方向に対して横断方向に支持ストリップ上に遊びを伴って押し出し可能であり、この結果、ワイヤフォイルはその動作位置において支持ストリップに対し解放可能に固定される。
【０００２】
（関連出願に対する相互参照）
本出願は、米国特許法第１１９条に基づいて、２００８年１２月１８日付けで出願されたオーストリア国特許出願第Ａ１９７７／２００８号の優先権を主張するものであり、この先行特許出願は、本引用により、そのすべてが本明細書に包含される。
【背景技術】
【０００３】
ワイヤと、ワイヤの運動方向に対して更に横断方向に延びてワイヤの運動方向において互いに間隔をおいて配置されるとともにワイヤが接触状態にあるワイヤフォイルと、ワイヤフォイルに割り当てられるとともにワイヤの運動方向に対して横断方向に同様に延びるワイヤフォイル用の支持ストリップと、を備える従来技術による製紙設備においては、ワイヤフォイルは長手方向にアンダーカット溝を有するように構成され、支持ストリップはアンダーカット溝の断面に対応するバネを有するように構成される。この結果、ワイヤフォイルは、ワイヤの運動方向に対して横断方向に支持ストリップ上に遊びを伴って押し出し可能であるので、ワイヤフォイルはそれらの動作位置に移動し、そこで支持ストリップに対して解放可能に固定される。
【０００４】
このように、ワイヤフォイルが損傷した場合にはこれらを簡単に交換することができるように、ワイヤフォイルを解放可能に固定する必要がある。
【０００５】
しかしながら、支持ストリップのバネとワイヤフォイルの溝との間に遊びの存在が要求される結果、ワイヤフォイルを支持ストリップ上に押し出すことができるように、ワイヤフォイルは支持ストリップに対して押し出される位置において支持ストリップに堅固に固定されてはおらず、設備の動作の際に可動でありむしろ不利な影響をもたらすため、この既知のタイプの支持ストリップに対するワイヤフォイルの固定法は必要条件を満足してはいない。このため、まずワイヤフォイルは、ワイヤとの関係において正確な位置をとることができず、特に吸引動作を正確に固定してできない結果、紙質が損なわれることになる。更に、ワイヤフォイルの損耗状態が異なる結果、ワイヤフォイルの耐用年数が異なることになる。更に、ワイヤフォイルが移動できる結果、設備の動作の際に支持構造の損傷を招くかもしれない振動が発生する可能性がある。
【発明の概要】
【発明が解決しようとする課題】
【０００６】
従って、本発明の目的は、この一般的なタイプの従来の既知の装置及び方法の前述の欠点を克服し、ワイヤフォイルが前述の支持ストリップ上に押し出された後に、ワイヤフォイルに割り当てられた支持ストリップ上にワイヤフォイルを堅固に固定することができ、ひいては支持ストリップ上におけるワイヤフォイルの既知の固定法で発生する欠点を回避することができる、製紙設備においてワイヤストリップを解放可能に固定する装置を提供することである。
【課題を解決するための手段】
【０００７】
上述の、およびその他の目的に鑑み、本発明によれば、ワイヤと、ワイヤの運動方向に対して横断方向に延びる支持ストリップ上に支持されるとともにワイヤの運動方向において互いに間隔をおいて離隔したワイヤフォイルと、を備える製紙設備内において、ワイヤフォイルを支持ストリップに対して解放可能に固定する装置が提供される。この装置においては、ワイヤフォイル用の支持ストリップ又はワイヤフォイルは長手方向に形成されたアンダーカット溝を備え、支持ストリップ又はワイヤフォイルは前述のアンダーカット溝の断面に対応する断面を有するバネを備えるように構成される。前述のワイヤフォイル及び前述の支持ストリップは、ワイヤフォイルをワイヤの運動方向に対して横断方向に前述の支持ストリップ上に遊びを伴って押し出すことができるように構成されている。本装置は、支持ストリップ及びワイヤフォイルの長手方向に延びるとともに支持ストリップとワイヤフォイルの間に配置されたクランピングストリップを有する。この場合、長手方向における前述のクランピングストリップの変位は、支持ストリップに対するワイヤフォイルの横断方向の運動を引き起こし、その結果、その動作位置においてワイヤフォイルを支持ストリップに対して堅固にロックする。
【０００８】
換言すれば、本発明の目的は、支持ストリップとワイヤフォイルの間に、支持ストリップ及びワイヤフォイルの長手方向において延長するクランピングストリップが設けられ、前述のクランピングストリップのその長手方向における変位が、支持ストリップに対するワイヤフォイルの横断方向の運動を引き起こす結果、ワイヤフォイルが動作位置において支持ストリップに対して堅固に接続されるという事実によって達成される。
【０００９】
支持ストリップ及びワイヤフォイルは、互いに割り当てられて楔の形状において延長するとともに支持ストリップに対するワイヤフォイルの横断方向の運動の結果として互いに接触する面を側部に有するように構成される。この横断方向の運動は、クランピングストリップの変位によって引き起こされ、これによりワイヤフォイルが支持ストリップによってクランプされると好ましい。
【００１０】
好適な一実施例によれば、クランピングストリップは長手方向に延びるとともに支持ストリップに固定されるピンが貫通するスロットを有するように構成され、クランピングストリップの変位は、支持ストリップに対するワイヤフォイルの横断方向の運動を引き起こす。ここで、クランピングストリップに設けられるとともにその長手方向に延びるスロットは、ワイヤフォイルの長手方向に延びる部分との間に約３°〜約１０°の鋭角を形成する。好ましい角度は６°である。更に、クランピングストリップは、好ましくは、ワイヤフォイル及び支持ストリップを相互にクランプするその端部位置において、および／または、もう１つの端部位置において、支持ストリップによってラッチ可能である。
【００１１】
好適な更なる実施例によれば、クランピングストリップは、支持ストリップによってワイヤフォイルをクランプする方向のクランピングストリップの変位によって圧縮される横方向に突出するバネ要素を有するように構成される。これによりワイヤフォイルは長手方向に対して横断方向に、支持ストリップによるそのクランプ位置に変位するよう付勢される。更にクランピングストリップは、互いに結合可能である複数のクランピングストリップ部品から形成可能である。
【００１２】
本発明で特徴的であると考えられる他の特徴は、添付の請求項に記載されている。
【図面の簡単な説明】
【００１３】
【図１】本発明による、ワイヤフォイルがその上部に押し出される製紙設備内における支持ストリップと、クランピングストリップと、の不等角投影図である。
【図２Ａ】ワイヤフォイルがその上部に完全に押し出された図１の支持ストリップと、クランピングスリップと、の不等角投影図である。
【図２Ｂ】図２ＡのＩＩａ−ＩＩａ面における断面を示す。
【図３Ａ】第１動作位置における支持ストリップ、その上部に押し出されたワイヤフォイル、及びクランピングストリップを部分的に切り開かれた不等角投影図で示す。
【図３Ｂ】図３ＡのＩＩＩａ−ＩＩＩａ面における断面を示す。
【図４Ａ】異なる相互の位置における図１の支持ストリップ及びワイヤフォイルを不等角投影図で示す。
【図４Ｂ】異なる動作位置におけるクランピングストリップの一設計変形を不等角投影図で示す。
【図４Ｃ】異なる動作位置におけるクランピングストリップの一設計変形を不等角投影図で示す。
【図５Ａ】異なる動作位置におけるクランピングストリップの詳細を、長手方向の断面において示す。
【図５Ｂ】異なる動作位置におけるクランピングストリップの詳細を、長手方向の断面において示す。
【図５Ｃ】異なる動作位置におけるクランピングストリップの詳細を、長手方向の断面において示す。
【図５Ｄ】異なる動作位置におけるクランピングストリップの詳細を、長手方向の断面において示す。
【図６Ａ】異なる動作位置におけるクランピングストリップの更なる詳細を、部分的に切り開かれた平面図において示す。
【図６Ｂ】異なる動作位置におけるクランピングストリップの更なる詳細を、部分的に切り開かれた平面図において示す。
【図７】複数部品からなるクランピングストリップを拡大不等角投影図で示す。
【発明を実施するための形態】
【００１４】
本発明は、製紙設備内においてワイヤフォイルを解放可能に固定する装置として実施されるものとして例示、説明される。しかしながら、本発明の精神を逸脱することなく、請求項の均等物の範囲及び領域内において様々な変更及び構造的変形を実施可能であり、図示の詳細に限定されることを意図したものではない。
【００１５】
但し、本発明の構造及び動作の方法はその更なる目的及び利点とともに、添付の図面と結び付けて参照できる特定の実施例に関する以下の説明から、十分に理解することができるだろう。
【００１６】
次に添付図面中の図、まず特に図１を詳細に参照すると、支持ストリップ１が示されている。支持ストリップ１の上部にはワイヤフォイル２が固定される。接続フランジ１０などによって支持フレームに固定可能である支持ストリップ１は、その上面に、支持ストリップ１にワイヤフォイル２を固定するように機能するアンダーカットストリップ１１を有するよう構成される。この目的のため、ワイヤフォイル２は、支持ストリップ１に対向するその面上にアンダーカット溝２１を有するように構成される。アンダーカット溝２１の断面は、ストリップ１１の断面に対して略鏡面反転状態になるよう構成される。この結果、矢印Ａによって示されているように、ワイヤフォイル２は溝２１によってストリップ１１上に押し出し可能であり、且つ、ワイヤフォイル２は舌部又は溝接続によって支持ストリップ１に固定される。ワイヤフォイル２は、製紙設備内においてワイヤに対向する上面が、セラミック材料から製造された損耗要素２０によってコーティングされている。更にワイヤフォイル２は、工具による変位のための把持孔２２をその前端に有するように構成されている。更に、接続フランジ１０は凹部１０ａを有するように構成される。この凹部内には、支持ストリップ１を支持フレームに固定するようにピンを挿入可能である。
【００１７】
このタイプの固定法によれば、例えば損耗要素２０の中の１つが損傷してワイヤフォイルがもはや機能しなくなった場合に、ワイヤフォイル２を簡単な方法で交換することができる。
【００１８】
後述するように、ストリップ１１とワイヤフォイル２の間には、クランピングストリップ３として機能する更なるストリップが存在している。このクランピングストリップ３はスロット３３を有するように構成されている。スロット３３は長手方向に延びるとともに、支持ストリップ１から突出したピン１３によって貫通される。クランピングストリップ３は、スロット３３を貫通するピン１３により、２つの端部位置間において変位可能である。また、クランピングストリップ３は、クランピングストリップを移動させるように工具を挿入するための孔３２を有するようにも構成されている。スロット３３は、クランピングストリップ３の長手方向に対して約６°の角度で延びる。
【００１９】
図２Ａは、支持ストリップ１上に完全に押し出されたワイヤフォイル２の位置を示す。更に、図２Ｂからわかるように、まずストリップ１１は２つの傾斜面１４、１５を有するように形成され、次にワイヤフォイル２に位置する溝２１は傾斜面１４、１５に割り当てられた２つの傾斜面２４、２５を有するように構成されている。互いに割り当てられた傾斜面１４、１５、２４、２５は、図１及び図２Ａに示されたクランピングストリップ３の第１端部位置において、互いにわずかな間隔をおいて配置されている。更に、クランピングストリップ３の左側エッジ３６は、溝２１の左側内面２６から間隔をおいた位置にある。この結果ワイヤフォイル２は支持ストリップ１に対して変位可能であるため、ワイヤフォイル２は、交換のために支持ストリップから取り外し可能であるか、または支持ストリップ１へと押し出し可能である。
【００２０】
クランピングストリップ３が矢印Ｂの方向に変位するとすぐに、ワイヤフォイル２は、スロット３３の傾斜した進路のために、矢印Ｃの方向に左へ変位する。この結果、左側エッジ３６は、溝２１の左壁２６と接触状態になる。この左壁２６は、前述の左側エッジ３６の対向する側に位置するとともに、クランピングストリップ３が更に変位した場合にワイヤフォイル２を矢印Ｃの方向に変位させる。この結果、互いに割り当てられた傾斜面１４、２４、１５、２５は、互いに押圧されることになる。このことに関しては図３Ａ及び図３Ｂを参照されたい。
【００２１】
この結果、ワイヤフォイル２は支持ストリップ１によってクランプされる。その結果、ワイヤフォイル２は支持ストリップ１に対して堅固に固定される。
【００２２】
これに加えて、矢印Ｃの方向に起こるワイヤの運動の結果、この方向に作用する力の成分がワイヤフォイルに作用する。これにより、図示の舌部及び溝接続が、クランピング動作を増大させる方向に付勢されることに留意されたい。
【００２３】
ワイヤフォイル２を支持ストリップ１から再び取り外せるようにするには、クランピングストリップ３を、矢印Ｂとは反対方向に第１端部位置へと変位させる必要がある。
【００２４】
更に、図４Ａ、図４Ｂ、図４Ｃ、および、図５Ａ、図５Ｂ、図５Ｄ、図５Ｄに示されているように、更なる実施例においては、クランピングストリップ３はラッチングスロット３４を有するように構成されている。これらのラッチングスロット３４には、ラッチング要素３７が割り当てられており、ラッチング要素３７はバネプレート３５から突出するとともに、クランピングストリップ３の２つの端部位置においてラッチングスロット３４にラッチ（latch）する。この結果、クランピングストリップ３は、その２つの端部位置において固定可能である。
【００２５】
更に、図６及び図６ａからわかるように、更なる実施例によれば、クランピングストリップ３は、その両方の端部にラッチングスロット３４を有するように構成されるとともに、その２つの側から２つの端部位置の間で変位可能である。その位置に応じて、ワイヤフォイル２は支持ストリップ１によってクランプされるか、または、支持ストリップ１に対してワイヤフォイル２を変位させることができる。
【００２６】
更に、クランピングストリップ３は、その左側エッジにバネ要素３８を有するように構成されている。バネ要素３８は、支持ストリップ１によってワイヤフォイル２をクランプする位置に、すなわち支持ストリップ１によってクランプされる方向においてワイヤフォイル２に圧力を作用させる位置に、クランピングストリップ３の変位によって圧縮される。このバネ要素３８の目的は、発生可能な製造公差をある程度補償すること、つまりクランピングストリップ３がその第２端部位置に移動したが、支持ストリップ１によるワイヤフォイル２の完全なクランピングは実行されない程度に補償すること、すなわち、それとは無関係にワイヤフォイル２による支持ストリップ１のクランピングを実現することを含む。
【００２７】
図７に示されているように、クランピングストリップ３は、個別のクランピングストリップ部品３ａ、３ｂ、３ｃ、３ｄ、または他の更なるクランピングストリップ部品を有していてもよい。これらの部品の端部は互いに確実に結合可能であるため、この種のクランピングストリップ部品の集合から所望の任意の長さのクランピングストリップを製造可能である。
【００２８】
これにより、製造、販売、在庫管理、及び保管の単純化を実現することができる。
【図１】
2010144319.tif 000003
【図２Ａ】
2010144319.tif 000004
【図２Ｂ】
2010144319.tif 000005
【図３Ａ】
2010144319.tif 000006
【図３Ｂ】
2010144319.tif 000007
【図４Ａ】
2010144319.tif 000008
【図４Ｂ】
2010144319.tif 000009
【図４Ｃ】
2010144319.tif 000010
【図５Ａ】
2010144319.tif 000011
【図５Ｂ】
2010144319.tif 000012
【図５Ｃ】
2010144319.tif 000013
【図５Ｄ】
2010144319.tif 000014
【図６Ａ】
2010144319.tif 000015
【図６Ｂ】
2010144319.tif 000016
【図７】
2010144319.tif 000017
【外国語明細書】
2010144319.tif 000018
2010144319.tif 000019
2010144319.tif 000020
2010144319.tif 000021
2010144319.tif 000022
2010144319.tif 000023
2010144319.tif 000024
2010144319.tif 000025
2010144319.tif 000026
2010144319.tif 000027
2010144319.tif 000028
【図１】
2010144319.tif 000029
【図２Ａ】
2010144319.tif 000030
【図２Ｂ】
2010144319.tif 000031
【図３Ａ】
2010144319.tif 000032
【図３Ｂ】
2010144319.tif 000033
【図４Ａ】
2010144319.tif 000034
【図４Ｂ】
2010144319.tif 000035
【図４Ｃ】
2010144319.tif 000036
【図５Ａ】
2010144319.tif 000037
【図５Ｂ】
2010144319.tif 000038
【図５Ｃ】
2010144319.tif 000039
【図５Ｄ】
2010144319.tif 000040
【図６Ａ】
2010144319.tif 000041
【図６Ｂ】
2010144319.tif 000042
【図７】
2010144319.tif 000043